(57)【要約】  本発明は、矩形フレームに関し、このフレームは少なくとも第１の垂直部、上梁、第２の垂直部、および下梁によって形成され、フレームは、第１のデバイスを結合するための第１の結合手段を備え、フレームは、机上面、黒板／ホワイトボード、または絵画などの第１のデバイスを、第１の結合手段によって、フレームの第１の側面に、結合するように構成されている。
2018516721.tif 000002
【特許請求の範囲】
【請求項１】
矩形フレーム（１、１００、２００、３００）であって、フレーム（１、１００、２００、３００）が、少なくとも第１の垂直部（３）、上梁（４）、第２の垂直部（５）、および下梁（２）によって形成され、前記フレーム（１、１００、２００、３００）が、第１の結合手段を備え、前記フレーム（１、１００、２００、３００）が、机上面、黒板／ホワイトボード、または絵画などの第１のデバイスを、前記第１の結合手段によって前記フレーム（１、１００、２００、３００）の第１の側面（Ａ）に結合するように構成され、前記フレーム（１、１００、２００、３００）がまた、前記フレーム（１、１００、２００、３００）に対する高さにおいて前記第１のデバイスを調整可能に設置するように構成されていることを特徴とし、前記フレーム（１、１００、２００、３００）が、前記第１の結合手段を調整するための第１の調整手段（７）と前記第１の調整手段（７）を操作するための第１の操作部材とを備え、前記第１の結合手段が、第１の結合要素および第２の結合要素（８、９）を備え、第１の結合要素および第２の結合要素（８、９）が、前記第１の垂直部および第２の垂直部（３、５）それぞれにおいて、実質的に同じ高さで同時に調整可能に変位するように配置され、それぞれ第１のコードおよび第２のコード（１０、１１）によって、前記第１の調整手段（７）に接続され、前記第１の調整手段（７）が、少なくとも１つの定力バネ（７１、７２）を備え、各定力バネ（７１、７２）の第１の外側端部が、前記第１のコードおよび前記第２のコード（１１）の両方に接続されている、矩形フレーム（１、１００、２００、３００）。
【請求項２】
前記フレーム（１、１００、２００、３００）がまた、前記フレーム（１、１００、２００、３００）の第２の側面（Ｂ）に結合するために、机上面、黒板／ホワイトボード、または絵画などの第２のデバイスの前記フレーム（１、１００、２００、３００）に対して高さにおいて調整可能に設置するように構成され、前記フレーム（１、１００、２００、３００）が、前記第２のデバイスを結合するための第２の結合手段と、前記第２の結合手段を調整するための第２の調整手段（１０７）と、前記第２の調整手段（１０７）を操作するための第２の操作部材と、を備え、前記第２の結合手段が、第３の結合要素および第４の結合要素（１０８、１０９）を備え、第３の結合要素および第４の結合要素（１０８、１０９）が、前記第１の垂直部および第２の垂直部（３、５）それぞれにおいて、実質的に同じ高さで同時に調整可能に変位するように配置され、それぞれ第３のコードおよび第４のコード（１１０、１１１）によって、前記第２の調整手段（１０７）に接続され、前記第２の調整手段（１０７）が、少なくとも１つの定力バネ（７１、７２）を備え、前記第２の調整手段（１０７）の各定力バネ（７１、７２）の第１の外側端部が、前記第３のコードおよび前記第４のコード（１１１）の両方に接続されていることを特徴とする、請求項１に記載のフレーム（１、１００、２００、３００）。
【請求項３】
前記第１の調整手段および／または第２の調整手段（７、１０７）が、実質的に無負荷状態の各定力バネ（７１、７２）を備えるハウジング（７３）を備え、各定力バネ（７１、７２）の第２の外側端部が、前記ハウジング（７３）に固定して接続されている、請求項１または２に記載のフレーム（１、１００、２００、３００）。
【請求項４】
各定力バネ（７１、７２）が、前記定力バネ（７１、７２）に係合するブレーキ（７６、７７）を備え、前記ブレーキ（７６、７７）が、前記第１の操作部材および／または第２の操作部材を介して操作され得る、請求項１、２、または３に記載のフレーム（１、１００、２００、３００）。
【請求項５】
各定力バネ（７１、７２）の前記ブレーキ（７６、７７）が、ブレーキケーブル（７８）によって相互に接続され、前記第１の操作部材および／または第２の操作部材が、前記ブレーキケーブル（７８）上で係合する、請求項４に記載のフレーム（１、１００、２００、３００）。
【請求項６】
前記第１の調整手段および／または第２の調整手段（７、１０７）が、いくつかの対の定力バネ（７１、７２）を備え、各力バネが、巻き上げられた板バネを備え、各対の板バネが、各対の板バネの巻き上げられていない部分の外側が隣接するように、前記フレーム（１、１００、２００、３００）において鏡像配置で設置されている、請求項３〜５のいずれかに記載のフレーム（１、１００、２００、３００）。
【請求項７】
前記第１の調整手段および／または第２の調整手段（７、１０７）が、一対の定力バネ（７１、７２）を備える、請求項６に記載のフレーム（１、１００、２００、３００）。
【請求項８】
前記第１の調整手段（７）が、前記フレーム（１、１００、２００、３００）の底角部に近接して設置され、前記第１のコードおよび第２のコード（１０、１１）が、前記下梁（２）に対して約３０〜６０度の角度で前記第１の調整手段（７）に接続されている、請求項１〜７のいずれかに記載のフレーム（１、１００）。
【請求項９】
前記第２の調整手段（１０７）が、前記フレーム（１、１００、２００、３００）の底角部に近接して設置され、前記第３のコードおよび第４のコード（１１０、１１１）が、前記下梁（２）に対して約３０〜６０度の角度で前記第２の調整手段（１０７）に接続されている、請求項２〜８のいずれかに記載のフレーム（１、１００）。
【請求項１０】
前記第１の調整手段および第２の調整手段（１０７）が、異なる底角部に近接して設置されている、請求項９に記載のフレーム（１、１００）。
【請求項１１】
前記第１の調整手段（７）が、前記フレーム（１、１００、２００、３００）内の第１の経路に沿って変位するように配置され、前記第１のコードおよび第２のコード（１０、１１）が、前記第１の経路に対して調整可能な角度（α）で前記第１の調整手段（７）に接続されている、請求項３〜７のいずれかに記載のフレーム（１、１００、２００、３００）。
【請求項１２】
前記フレーム（１、１００、２００、３００）が、前記フレーム（１、１００、２００、３００）上の第１の外側端部で回転可能に取り付けられ、前記第１の外側端部から実質的に前記第１の経路の方向に延在する、第１のガイドチャネル（３０１）を備え、前記第１のガイドチャネル（３０１）の縦方向と前記第１の経路との間の角度（α）が、調整可能であり、前記第１の調整手段（７）が、第１のガイド要素（３０３）によって前記第１のコードおよび第２のコード（１０、１１）に接続され、前記第１のガイド要素（３０３）が、前記第１のガイドチャネル（３０１）の前記第１の外側端部と第２の外側端部との間でガイドしながら変位可能である、請求項１１に記載のフレーム（１、１００、２００、３００）。
【請求項１３】
前記第２の調整手段（１０７）が、前記フレーム（１、１００、２００、３００）内の第２の経路に沿って変位するように配置され、前記第３のコードおよび第４のコード（１１０、１１１）が、前記第２の経路に対して調整可能な角度（α）で前記第２の調整手段（１０７）に接続されている、請求項３〜７、１１、または１２のいずれかに記載のフレーム（１、１００、２００、３００）。
【請求項１４】
前記フレーム（１、１００、２００、３００）が、前記フレーム（１、１００、２００、３００）上の第１の外側端部で回転可能に取り付けられ、前記第１の外側端部から実質的に前記第２の経路の方向に延在する、第２のガイドチャネルを備え、前記第２のガイドチャネルの縦方向と前記第２の経路との間の角度が、調整可能であり、前記第２の調整手段（１０７）が、第２のガイド要素によって前記第３のコードおよび第４のコード（１１０、１１１）に接続され、前記第２のガイド要素が、前記第２のガイドチャネルの前記第１の外側端部と第２の外側端部との間でガイドしながら変位可能である、請求項１３に記載のフレーム（１、１００、２００、３００）。
【請求項１５】
前記第１の結合要素（１０）および第２の結合要素（１１）が、接続要素（５３）によって相互に接続されている、請求項１〜６のいずれかに記載のフレーム（１、２００）。
【請求項１６】
前記第１の調整手段（７）が、下梁（２）の中心に近接して配置されている、請求項１５に記載のフレーム（１、２００）。
【請求項１７】
前記上梁（４）および下梁（２）が、長さにおいて調整可能である、請求項１〜１６のいずれかに記載のフレーム（１、１００、２００、３００）。
【請求項１８】
前記第１のコード、第２のコード、第３のコード、および／または第４のコード、（１０、１１、１１０、１１１）が、Ｂｏｗｄｅｎケーブルを含む、請求項１〜１７のいずれかに記載のフレーム（１、１００、２００、３００）。
【請求項１９】
前記第１の垂直部および第２の垂直部（３、５）が、高さ調整可能である、請求項１〜１８のいずれかに記載のフレーム（１、１００、２００、３００）。
【請求項２０】
前記第１の垂直部および第２の垂直部（３、５）の前記第１の側面および／または第２の側面（Ａ、Ｂ）が、結合要素（８、９、１０８、１０９）を囲み、前記結合要素（８、９、１０８、１０９）の高さをガイドするように構成されたガイドトラック（１１）を備える、請求項１〜１９のいずれかに記載のフレーム（１、１００、２００、３００）。
【発明の詳細な説明】
【技術分野】
【０００１】
本発明は、矩形フレームに関し、このフレームは、少なくとも第１の垂直部、上梁、第２の垂直部、および下梁によって形成され、フレームは第１の結合手段を備え、フレームは、机上面、黒板／ホワイトボード、または絵画などの第１のデバイスを第１の結合手段によってフレームの第１の側面に結合するように構成されている。
【０００２】
本発明に従う矩形フレームは、当該分野で既知である。
【０００３】
既知のフレームは、フレームに結合された後のデバイスが、フレームに固く接続されるという欠点を有する。
【発明の概要】
【発明が解決しようとする課題】
【０００４】
上述の欠点が取り除かれた、前文に従うフレームを提供することが、本発明の目的である。
【課題を解決するための手段】
【０００５】
本発明に従うフレームは、その目的として、フレームがまた、第１のデバイスをフレームに対する高さで調整可能に設置するように構成されるという特徴を有し、フレームは、第１の結合手段を調整するための第１の調整手段と第１の調整手段を操作するための第１の操作部材とを備え、第１の結合手段は、第１の結合要素および第２の結合要素を備え、第１の結合要素および第２の結合要素は、第１の垂直部および第２の垂直部それぞれにおいて、実質的に同じ高さで同時に調整可能に変位するように配置され、それぞれ第１のコードおよび第２のコードによって、第１の調整手段に接続され、第１の調整手段は、少なくとも１つの定力バネを備え、各定力バネの第１の外側端部は、第１のコードおよび第２のコードの両方に接続されている。
【０００６】
本発明に従うフレームは、机用のサブフレームとして適用され得、フレームは、机上面の高さ調整を可能にする。
【０００７】
本発明に従うフレームの別の用途は、例えば絵画、黒板／ホワイトボード、テレビ等の平坦なデバイスを、壁面などの垂直な表面に高さ調整可能に掛けることを可能とすることである。
【０００８】
本発明に従うフレームが、多用途に利用され得、机の高さ調整が可能であることなど、１つの用途に制限されないことから、フレームの大量生産は、経済的に採算性がある。
【０００９】
１つ以上の定力バネの使用を通して、本発明に従うフレームは、電気に依存せず、したがってさらにフレームの実用性が増加する。加えて、定力バネのスプリング力および重力を使用して、高さにおいてデバイスの移動を可能とするために、補正力バネが、デバイスの重量によって、選択され得る。
【００１０】
定力バネは、長いバネ運動距離にわたって一定の力を作り出し、それによって本発明に従うフレームのユーザは、高さにおけるデバイスの変位中に、デバイスに均一な力を与えることができる。
【００１１】
本発明に従うフレームの第１の実施形態において、フレームはまた、机上面、黒板／ホワイトボード、または絵画などの第２のデバイスを、フレームの第２の側面に結合するために、フレームに対する高さにおいて調整するように構成されている。フレームは、この目的のために、第２のデバイスを結合するための第２の結合手段と、第２の結合手段を調整するための第２の調整手段と、第２の調整手段を操作するための第２の操作部材とを備え、第２の結合手段は、第３の結合要素および第４の結合要素を備え、第３の結合要素および第４の結合要素は、第１の垂直部および第２の垂直部それぞれにおいて、実質的に同じ高さで同時に調整可能に変位するように配置され、それぞれ第３のコードおよび第４のコードによって、第２の調整手段に接続され、第２の調整手段は、少なくとも１つの定力バネを備え、第２の調整手段の各定力バネの第１の外側端部が、第３のコードおよび第４のコード両方に接続されている。
【００１２】
これらの技術的方策は、第２のデバイスをフレームの他方側面に設置することを可能にし、それによって本発明に従うフレームの可能用途が、さらに増加する。第１の実施形態により、例えば机の設計が可能となり、机上面（第１のデバイスおよび第２のデバイス）は、フレームのいずれの側面上でもフレームに結合される。
【００１３】
第１の調整手段および／または第２の調整手段は、実質的に無負荷状態の各定力バネを備えるハウジングを好ましくは備え、各定力バネの第２の外側端部は、ハウジングに固定して接続されている。
【００１４】
ハウジングによって、容易な方法で調整手段を設置および取り外すことが可能である。加えて、異なるバージョンの調整手段が、異なる力のバネを有して製造され得、補正バージョンの調整手段が、第１のデバイスおよび／または第２のデバイスの重量に応じて、本発明に従うフレームに適用され得る。
【００１５】
本発明に従うフレームの各実施形態において、各定力バネまたは定力バネ一式は、定力バネに係合するブレーキを好ましくは備え、このブレーキは、第１の操作部材および／または第２の操作部材を介して操作され得る。ブレーキを使用して、デバイスは、ユーザによって決められた高さで、容易な方法で係止され得る。
【００１６】
各定力バネのブレーキは、ブレーキケーブルによってここに、好ましくは相互に接続され、第１の操作部材および／または第２の操作部材は、ブレーキケーブル上で係合する。
【００１７】
本発明に従うフレームの好ましい実施形態において、第１の調整手段および／または第２の調整手段は、いくつかの、好ましくは２つの、一対の定力バネを備え、各力バネは、巻き上げられた板バネを備え、各対の板バネは、各対の板バネの巻き上げられていない部分の外側が隣接するように、ハウジングにおいて鏡像配置で設置される。各板バネの出発点、例えば初めの５ｃｍは、好ましくはここに平坦である。
【００１８】
ハウジング中の板バネの配置は、板バネが直線で巻き解くことを確実とすることができる。
【００１９】
前記実施形態において、第１の調整手段は、第１の垂直部または第２の垂直部、および下梁によって形成されたフレームの底角部に近接して好ましくは設置され、第１のコードおよび第２のコードは、下梁に対して約３０〜６０度の角度で、第１の調整手段に接続されている。これらの方策のため、第１の調整手段の１つ以上の定力バネは、フレームの高さを超える延長部を有する。
【００２０】
フレームがその高さに対して低い、本発明に従うフレームの構造において、第１の調整手段はまた、第１の垂直部上に取り付けられ得る。第１のコードおよび第２のコードは、その後第２の垂直部上のローラを介して、第１の調整手段に好ましくは水平にガイドされる。
【００２１】
同様の方法において、第２の調整手段は、フレームの底角部に近接して好ましくは設置され、第３のコードおよび第４のコードは、下梁に対して約３０〜６０度の角度で、第２の調整手段に接続されている。
【００２２】
第１の調整手段および第２の調整手段は、異なる底角部に近接して好ましくはここに設置されている。
【００２３】
第１の調整手段の引張力の設定を可能にするために、本発明の最適な実施形態において、第１の調整手段は、フレーム内の第１の経路に沿って変位するように配置され、第１のコードおよび第２のコードは、第１の経路に対して調整可能な角度で、第１の調整手段（７）に接続されている。
【００２４】
フレームは、フレーム上の第１の外側端部で回転可能に取り付けられ、第１の外側端部から実質的に第１の経路の方向に延在する、第１のガイドチャネルを好ましくはここに備える。第１のガイドチャネルの縦方向と第１の経路との間の角度は、この目的のために調整可能である。第１の調整手段はまた、第１のガイド要素によって第１のコードおよび第２のコードに接続され、第１のガイド要素は、第１のガイドチャネルの第１の外側端部と第２の外側端部との間でガイドしながら、変位可能である。
【００２５】
これらの方策は、第１の調整手段の引張力が、例えば机上面およびその上に位置する物体の重量に適合されることを可能にする。
【００２６】
第２の調整手段はまた、フレーム内の第２の経路に沿って変位するように好ましくは配置され、第３のコードおよび第４のコードは、第２の経路に対して調整可能な角度で第２の変位手段に接続されている。
【００２７】
フレームは、この目的のために、フレーム上の第１の外側端部で回転可能に取り付けられ、第１の外側端部から実質的に第２の経路の方向に延在する、第２のガイドチャネルを好ましくは備える。第２のガイドチャネルの縦方向と第２の経路との間の角度は、この目的のために調整可能である。第２の調整手段はまた、第２のガイド要素によって第３のコードおよび第４のコードに接続され、第２のガイド要素は、第２のガイドチャネルの第１の外側端部と第２の外側端部との間でガイドしながら、変位可能である。
【００２８】
これらの方策は、第２の調整手段の引張力が、例えば机上面およびその上に位置する物体の重量に適合されることを可能にする。
【００２９】
壁面の取り付けに特に好適な本発明に従うフレームのさらなる実施形態において、第１の結合要素および第２の結合要素は、接続要素によって相互に接続されている。第１のデバイスは、接続要素に取り付けられ得る。
【００３０】
この実施形態において、第１の調整手段は、下梁の中心に近接して好ましくは配置されている。
【００３１】
本発明に従うフレームの可能な用途をさらに増加させるために、上梁および下梁は、長さにおいて好ましくは調整可能である。本発明のフレームは、本明細書によって、例えば机上面の幅、もしくは絵画、または黒板／ホワイトボードの幅に適合され得る。
【００３２】
フレームの幅の変更を容易にするために、第１のコード、第２のコード、第３のコード、および／または第４のコードは、Ｂｏｗｄｅｎケーブルを好ましくは含む。フレームの幅が変更されるとき、コードは、本明細書によって必ずしも長さにおいて調整されるに及ばない。
【００３３】
第１の垂直部および第２の垂直部を高さ調整可能とすることは、本発明に従うフレームの可能な用途をさらに増加させる。
【００３４】
第１の垂直部および第２の垂直部の第１の側面および／または第２の側面は、結合要素を囲み、結合要素の高さをガイドするように構成されたガイドトラックを好ましくは備える。
【００３５】
本発明を以下の図に基づいてさらに説明する。
【図面の簡単な説明】
【００３６】
【図１】本発明に従うフレームの第１の好ましい実施形態を示す。
【図２】本発明に従うフレームの第２の好ましい実施形態を示す。
【図３】図２に従うデバイスを結合するための第１の結合手段のさらなる展開を示す。
【図４】第１の調整手段または第２の調整手段の好ましい実施形態を示す。
【図５】負荷状態の図４に従う第１の調整手段または第２の調整手段を示す。
【図６】二重天板の机における図２に従うフレームの用途を示す。
【図７】本発明に従うフレームのさらなる実施形態を示す。
【図８】本発明に従うフレームの最適化された実施形態を示す。
【図９】本発明に従うフレームにおいて使用されるモジュールを示す。
【発明を実施するための形態】
【００３７】
同じ構成部品は、異なる図において同じ番号によって指定されている。
【００３８】
図１は、本発明に従うフレーム１の第１の好ましい実施形態を示す。フレーム１は矩形であり、少なくとも第１の垂直部３、上梁４、第２の垂直部５、および下梁２によって形成されている。フレーム１は、机上面、黒板／ホワイトボード、または絵画などの第１のデバイスがフレーム１の第１の側面Ａに結合されるように、フレーム１に対する高さ調整を目的とすることを意図される。
【００３９】
フレーム１は、デバイスを結合するための第１の結合手段を備える。第１の結合手段は、図２においてさらに説明される。フレーム１は、第１の結合手段を調整するための第１の調整手段７と、第１の調整手段を操作するための第１の操作部材とをさらに備える。第１の操作部材は図示されない。第１の結合手段は、第１の結合要素および第２の結合要素８、９（図６を参照）を備える。第１の結合要素および第２の結合要素８、９は、第１の垂直部および第２の垂直部３、５それぞれにおいて、実質的に同じ高さで同時に調整可能に変位するように配置されている。結合要素８、９は、それぞれ第１のコードおよび第２のコード１０、１１によって、第１の調整手段７に接続されている。第１の調整手段７は、図３においてさらに説明される。第１の調整手段７は、フレームの底角部に近接して設置され、この底角部は、下梁２と第１の垂直部３との間の角度、または下梁２と第２の垂直部５との間の角度によって形成されている。第１のコードおよび第２のコード１０、１１は、下梁３に対して約３０〜６０度の角度で好ましくは位置する。その結果、第１のコードおよび第２のコード１０、１１は、上梁４の中心に近接する開口部を介して、第１の調整手段７にガイドされる。
【００４０】
フレーム１を異なる幅の異なるデバイスに結合するために、上梁４および下梁２の長さが、好ましくは調整可能である。このことは２つの部品としての上梁４および下梁２の両方を互いに滑動させるために統合することによって達成され得る。
【００４１】
加えて、第１の垂直部および第２の垂直部３、５が、好ましくは高さ調整可能である。このことは、２つの部品としての第１の垂直部および第２の垂直部３、５の両方を互いに滑動させるために統合することによって達成され得る。
【００４２】
図２は、本発明に従うフレーム１００の第２の好ましい実施形態を示し、フレーム１００はまた、第２のデバイスを結合するための第２の結合手段を備える。第２の結合手段は、第１の結合手段と同じ方法で操作するが、第３のコードおよび第４のコード１１０、１１１を介して第２の調整手段１０７に接続されている。第２の結合手段は、第２のデバイスをフレーム１００の側面Ａの反対側に位置する側面Ｂに結合することが意図される。
【００４３】
図３は、図２に従うデバイスを結合するための第１の結合手段のさらなる展開を示す。第１の結合手段は、第１の結合要素および第２の結合要素８、９を備える。結合要素８は、第１の垂直部３に配置されている。結合要素９は、第２の垂直部５に配置され、図示されないが、結合要素８と同じ方法で操作する。結合要素８は、第１のコード１０を介して第１の調整手段７に接続されている。結合要素８は、机上面のための支持梁などの第１のデバイス５０に結合するように構成されている。第１の垂直部および第２の垂直部３、５の両方は、それぞれの結合要素８、９を囲み、それぞれの結合要素８、９を高さにおいてガイドするように構成されたガイドトラックを備える。第１の垂直部および第２の垂直部３、５は、ガイドトラックが配置されるような形状で好ましくは統合される。
【００４４】
図４は、図２に従う第１のデバイスおよび第２のデバイスの結合のための、第１の結合手段および第２の結合手段のさらなる展開を示す。第２の結合手段は、第１の結合要素および第２の結合要素１０８、１０９を備える。結合要素１０８は、第１の垂直部３に配置されている。結合要素１０９は、第２の垂直部５に配置され、図示されないが、結合要素１０８と同じ方法で操作する。結合要素８と同様の方法において、結合要素１０８は、第３のコード１１０を介して第２の調整手段１０７に接続されている。結合要素１０８、１０９は、机上面などの第２のデバイスに結合するように構成されている。
【００４５】
第２の調整手段１０７はまた、フレーム１００の底角部に近接して好ましくは設置され、底角部は、下梁２と第１の垂直部３との間の角度、または下梁２と第２の垂直部５との間の角度によって形成されている。第３のコードおよび第４のコード１１０、１１１は、下梁３に対して約３０〜６０度の角度で好ましくは位置する。その結果、第３のコードおよび第４のコード１１０、１１１は、上梁４の中心に近接する開口部を介して第２の調整手段１０７にガイドされる。
【００４６】
第１のケーブル、第２のケーブル、第３のケーブル、第４のケーブル１０、１１、１１０、１１１の長さを変更することなくフレーム１または１００の幅の調整を容易にするために、第１のケーブル、第２のケーブル、第３のケーブル、第４のケーブル１０、１１、１１０、１１１は、少なくとも部分的にＢｏｗｄｅｎケーブルを含む。
【００４７】
図４は、第１の調整手段または第２の調整手段７、１０７の好ましい実施形態を示す。調整手段７、１０７は、２つの定力バネ７１、７２を備え、各定力バネ７１、７２の第１の外側端部は、第１のコードおよび第２のコード１０、１１、または第３のコードおよび第４のコード１１０、１１１に接続されている。各定力バネ７１、７２は、巻き上げられた板バネを備える。板バネは、板バネから巻き上げられていない部分の外側が隣接するように、ハウジング７３において鏡像配置で設置される。ハウジング７３は、この目的のために、力バネ７１および力バネ７２がそれぞれ配置された２つのシャフト７４、７５を備える。調整手段７、１０７は、定力バネ７１、７２に係合するブレーキ７６、７７を備える。ブレーキ７６、７７は、第１の操作部材および／または第２の操作部材を介して操作され得る。ブレーキ７６、７７は、この目的のために、ブレーキケーブル（図示せず）によって相互に接続され（図６参照）、ブレーキケーブは、第１の操作部材および／または第２の操作部材に係合する。
【００４８】
図５は、図４に従う負荷状態の第１の調整手段または第２の調整手段７、１０７を示し、定力バネ７１、７２の板バネは、少なくとも部分的に巻かれていない。力バネ７１、７２の性質のため、板バネの巻かれていない部分は、共に直線のバネ板を形成する。ブレーキ７６および７７は、共通のブレーキケーブル７８を介して操作され得る。ブレーキ７６、７７は、ブレーキケーブル７８が操作されていないとき、バネ７９によって自動的に開放される。
【００４９】
図６は、二重天板の机２０における、図２に従うフレーム１００の用途を示す。机２０は、本発明に従うフレーム１００を備える。フレーム１００は、ここに第１の梁および第２の梁２、４で、脚部の先端２５、２６に接続された脚部２１、２２に接続されている。机上面２３は、第１の結合要素および第２の結合要素８、９を介して、第１のデバイスおよび第２のデバイスを形成する支持梁５０、５１によって、フレーム１００に接続されている。机上面２４は、第３の結合要素および第４の結合要素１０８、１０９（図示せず）を介して、フレーム１００に同じ方法で接続されている。
【００５０】
図７は、本発明に従うフレーム２００のさらなる実施形態を示し、例えば絵画またはスクリーンが、第１のデバイス５３を介して、壁面などの平坦な垂直面に掛けられることができる。第１のデバイス５３は、この目的のために、第１の結合要素および第２の結合要素８、９に接続されている。調整手段７は、下梁２の中心に近接してここに設置されている。
【００５１】
図８は、本発明に従うフレーム３００の最適化された実施形態を示す。フレーム３００において、第１の調整手段７が、フレーム３００内の第１の経路に沿って変位するように配置され、第１のコードおよび第２のコード１０、１１は、第１の調整手段７への第１の経路に対して調整可能な角度αで接続されている。フレーム３００は、この目的のため第１のガイドチャネル３０１を備える。第１の調整手段７のハウジングは、（対応する）車輪３０６のいずれの側でも提供される。フレーム３００に設置されるのは、２対の並列に設置されたストリップ３０４であり、各対は、ハウジングの側面上に設置された車輪３０６を囲む。ストリップ３０４は、第１の経路を画定する。第１のガイドチャネル３０１は、第１の外側端部で直接的または間接的に、フレーム３００上に回転可能に取り付けられ、実質的に第１の経路の方向で、第１の外側端部から延在する。第１のガイドチャネル３０１の縦方向と第１の経路との間の角度αは、例えばガイドチャネル３０１の位置を変更することができるスピンドル（図示せず）によって、好ましくは４５〜９０度で調整可能である。第１の調整手段７は、第１のガイド要素３０３によって、第１のコードおよび第２のコード１０、１１に接続され、第１のガイド要素３０３は、第１のガイドチャネル３０１の第１の外側端部と第２の外側端部との間で、ガイドされる方法で変位可能である。
【００５２】
第１の経路は、好ましくは垂直であり、第１のガイドチャネル３０１の第１の側面は、上梁４の中心に近接して設置されている。
【００５３】
ストリップ３０４、第１の調整手段７、第１のガイド要素３０３、および第１のガイドチャネル３０１は、２つの並列に設置されたプレート３０７の間に好ましくは配置され、このうちの１つが示されている。この組み合わせは、一体としてフレーム３００上に取り付けられ、またはフレーム３００から取り外され得る、モジュール３１０を形成する。
【００５４】
第１の経路は、本来必ずしも直線でなくてもよい。第１の経路はまた、例えば円形の経路または楕円形の経路の一部を形成することができる。
【００５５】
図８において、第１のガイドチャネル３０１の縦方向と第１の経路との間の角度αは、約４５度であり、示される実施形態において、最小角度である。この位置において、第１のコードおよび第２のコード１０、１１上で調整手段７によって与えられる引張力は、最小である。示される実施形態において、ガイドチャネル３０１の第２の側面が上梁４に向かって変位される場合、第１のガイドチャネル３０１の縦方向と第１の経路との間の角度αもまた増加し、調整手段７は、ガイドチャネル３０１に続くように、上梁４の方向に変位することになる。この角度αが増加するにつれて、第１のコードおよび第２のコード１０、１１上で調整手段７によって与えられる引張力もまた増加する。引張力は、角度αが９０度に近づくとき最大となる。
【００５６】
図９は、本発明に従うフレーム３００に適用されるモジュール３１０を示す。モジュール３１０は、２つの並列に設置されたプレート３０７を備え、このうちの１つは示されない。ストリップ３０４、第１の調整手段、第１のガイド要素３０３、および第１のガイドチャネル３０１は、プレート３０７間で配置されている。第１のガイドチャネル３０１は、ピンホール接続３０２によって回転可能に取り付けられている。第１のガイドチャネル３０１の縦方向と第１の経路との間の角度αは、示される図において９０度に近づく。第１のコードおよび第２のコード１０、１１上で調整手段７によって与えられる引張力は、この位置でおよそ最大となる。
【００５７】
本発明は、説明され、示された好ましい実施形態に制限されることは無論なく、特許請求の範囲において定義され、また前述の説明および添付の図面に照らして理解されるように、保護範囲内であるいかなる実施形態にも拡張される。
【図１】
2018516721.tif 000003
【図２】
2018516721.tif 000004
【図３】
2018516721.tif 000005
【図４】
2018516721.tif 000006
【図５】
2018516721.tif 000007
【図６】
2018516721.tif 000008
【図７】
2018516721.tif 000009
【図８】
2018516721.tif 000010
【図９】
2018516721.tif 000011
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
矩形フレーム（１、１００、２００、３００）であって、フレーム（１、１００、２００、３００）が、少なくとも第１の垂直部（３）、上梁（４）、第２の垂直部（５）、および下梁（２）によって形成され、前記フレーム（１、１００、２００、３００）が、第１の結合手段を備え、前記フレーム（１、１００、２００、３００）が、机上面、黒板／ホワイトボード、または絵画などの第１のデバイスを、前記第１の結合手段によって前記フレーム（１、１００、２００、３００）の第１の側面（Ａ）に結合するように構成され、前記フレーム（１、１００、２００、３００）がまた、前記フレーム（１、１００、２００、３００）に対する高さにおいて前記第１のデバイスを調整可能に設置するように構成され、前記フレーム（１、１００、２００、３００）が、前記第１の結合手段を調整するための第１の調整手段（７）と前記第１の調整手段（７）を操作するための第１の操作部材とを備え、前記第１の結合手段が、第１の結合要素および第２の結合要素（８、９）を備え、第１の結合要素および第２の結合要素（８、９）が、前記第１の垂直部および第２の垂直部（３、５）それぞれにおいて、実質的に同じ高さで同時に調整可能に変位するように配置され、それぞれ第１のコードおよび第２のコード（１０、１１）によって、前記第１の調整手段（７）に接続され、前記第１の調整手段（７）が、少なくとも１つの定力バネ（７１、７２）を備え、各定力バネ（７１、７２）の第１の外側端部が、前記第１のコードおよび前記第２のコード（１１）の両方に接続され、前記第１の調整手段および／または第２の調整手段（７、１０７）が、実質的に無負荷状態の各定力バネ（７１、７２）を備えるハウジング（７３）を備えることを特徴とし、各定力バネ（７１、７２）の第２の外側端部が、前記ハウジング（７３）に固定して接続され、前記第１の調整手段および／または第２の調整手段（７、１０７）が、いくつかの対の定力バネ（７１、７２）を備え、各力バネが、巻き上げられた板バネを備え、各対の板バネが、各対の板バネの巻き上げられていない部分の外側が隣接するように、前記フレーム（１、１００、２００、３００）において鏡像配置で設置されている、矩形フレーム（１、１００、２００、３００）。
【請求項２】
前記フレーム（１、１００、２００、３００）がまた、前記フレーム（１、１００、２００、３００）の第２の側面（Ｂ）に結合するために、机上面、黒板／ホワイトボード、または絵画などの第２のデバイスの前記フレーム（１、１００、２００、３００）に対して高さにおいて調整可能に設置するように構成され、前記フレーム（１、１００、２００、３００）が、前記第２のデバイスを結合するための第２の結合手段と、前記第２の結合手段を調整するための第２の調整手段（１０７）と、前記第２の調整手段（１０７）を操作するための第２の操作部材と、を備え、前記第２の結合手段が、第３の結合要素および第４の結合要素（１０８、１０９）を備え、第３の結合要素および第４の結合要素（１０８、１０９）が、前記第１の垂直部および第２の垂直部（３、５）それぞれにおいて、実質的に同じ高さで同時に調整可能に変位するように配置され、それぞれ第３のコードおよび第４のコード（１１０、１１１）によって、前記第２の調整手段（１０７）に接続され、前記第２の調整手段（１０７）が、少なくとも１つの定力バネ（７１、７２）を備え、前記第２の調整手段（１０７）の各定力バネ（７１、７２）の第１の外側端部が、前記第３のコードおよび前記第４のコード（１１１）の両方に接続されていることを特徴とする、請求項１に記載のフレーム（１、１００、２００、３００）。
【請求項３】
各定力バネ（７１、７２）が、前記定力バネ（７１、７２）に係合するブレーキ（７６、７７）を備え、前記ブレーキ（７６、７７）が、前記第１の操作部材および／または第２の操作部材を介して操作され得る、請求項１または２に記載のフレーム（１、１００、２００、３００）。
【請求項４】
各定力バネ（７１、７２）の前記ブレーキ（７６、７７）が、ブレーキケーブル（７８）によって相互に接続され、前記第１の操作部材および／または第２の操作部材が、前記ブレーキケーブル（７８）上で係合する、請求項３に記載のフレーム（１、１００、２００、３００）。
【請求項５】
前記第１の調整手段および／または第２の調整手段（７、１０７）が、一対の定力バネ（７１、７２）を備える、請求項１〜４のいずれかに記載のフレーム（１、１００、２００、３００）。
【請求項６】
前記第１の調整手段（７）が、前記フレーム（１、１００、２００、３００）の底角部に近接して設置され、前記第１のコードおよび第２のコード（１０、１１）が、前記下梁（２）に対して約３０〜６０度の角度で前記第１の調整手段（７）に接続されている、請求項１〜５のいずれかに記載のフレーム（１、１００）。
【請求項７】
前記第２の調整手段（１０７）が、前記フレーム（１、１００、２００、３００）の底角部に近接して設置され、前記第３のコードおよび第４のコード（１１０、１１１）が、前記下梁（２）に対して約３０〜６０度の角度で前記第２の調整手段（１０７）に接続されている、請求項２〜６のいずれかに記載のフレーム（１、１００）。
【請求項８】
前記第１の調整手段および第２の調整手段（１０７）が、異なる底角部に近接して設置されている、請求項７に記載のフレーム（１、１００）。
【請求項９】
前記第１の調整手段（７）が、前記フレーム（１、１００、２００、３００）内の第１の経路に沿って変位するように配置され、前記第１のコードおよび第２のコード（１０、１１）が、前記第１の経路に対して調整可能な角度（α）で前記第１の調整手段（７）に接続されている、請求項１〜５のいずれかに記載のフレーム（１、１００、２００、３００）。
【請求項１０】
前記フレーム（１、１００、２００、３００）が、前記フレーム（１、１００、２００、３００）上の第１の外側端部で回転可能に取り付けられ、前記第１の外側端部から実質的に前記第１の経路の方向に延在する、第１のガイドチャネル（３０１）を備え、前記第１のガイドチャネル（３０１）の縦方向と前記第１の経路との間の角度（α）が、調整可能であり、前記第１の調整手段（７）が、第１のガイド要素（３０３）によって前記第１のコードおよび第２のコード（１０、１１）に接続され、前記第１のガイド要素（３０３）が、前記第１のガイドチャネル（３０１）の前記第１の外側端部と第２の外側端部との間でガイドしながら変位可能である、請求項９に記載のフレーム（１、１００、２００、３００）。
【請求項１１】
前記第２の調整手段（１０７）が、前記フレーム（１、１００、２００、３００）内の第２の経路に沿って変位するように配置され、前記第３のコードおよび第４のコード（１１０、１１１）が、前記第２の経路に対して調整可能な角度（α）で前記第２の調整手段（１０７）に接続されている、請求項１〜５、９、または１０のいずれかに記載のフレーム（１、１００、２００、３００）。
【請求項１２】
前記フレーム（１、１００、２００、３００）が、前記フレーム（１、１００、２００、３００）上の第１の外側端部で回転可能に取り付けられ、前記第１の外側端部から実質的に前記第２の経路の方向に延在する、第２のガイドチャネルを備え、前記第２のガイドチャネルの縦方向と前記第２の経路との間の角度が、調整可能であり、前記第２の調整手段（１０７）が、第２のガイド要素によって前記第３のコードおよび第４のコード（１１０、１１１）に接続され、前記第２のガイド要素が、前記第２のガイドチャネルの前記第１の外側端部と第２の外側端部との間でガイドしながら変位可能である、請求項１１に記載のフレーム（１、１００、２００、３００）。
【請求項１３】
前記第１の結合要素（１０）および第２の結合要素（１１）が、接続要素（５３）によって相互に接続されている、請求項１〜４のいずれかに記載のフレーム（１、２００）。
【請求項１４】
前記第１の調整手段（７）が、下梁（２）の中心に近接して配置されている、請求項１３に記載のフレーム（１、２００）。
【請求項１５】
前記上梁（４）および下梁（２）が、長さにおいて調整可能である、請求項１〜１４のいずれかに記載のフレーム（１、１００、２００、３００）。
【請求項１６】
前記第１のコード、第２のコード、第３のコード、および／または第４のコード、（１０、１１、１１０、１１１）が、Ｂｏｗｄｅｎケーブルを含む、請求項１〜１５のいずれかに記載のフレーム（１、１００、２００、３００）。
【請求項１７】
前記第１の垂直部および第２の垂直部（３、５）が、高さ調整可能である、請求項１〜１６のいずれかに記載のフレーム（１、１００、２００、３００）。
【請求項１８】
前記第１の垂直部および第２の垂直部（３、５）の前記第１の側面および／または第２の側面（Ａ、Ｂ）が、結合要素（８、９、１０８、１０９）を囲み、前記結合要素（８、９、１０８、１０９）の高さをガイドするように構成されたガイドトラック（１１）を備える、請求項１〜１７のいずれかに記載のフレーム（１、１００、２００、３００）。
【国際調査報告】
2018516721.tif 000012
2018516721.tif 000013